(57)【要約】【課題】後からでも手摺の高さを簡単に変更することができる、エレベータかご手摺装置の提供。【解決手段】エレベータかご手摺装置１１は、かご室壁３と、そのかご室壁に支持され、かご室内の高さ方向に延びる支持材としての目地材１３と、目地材に支持される手摺１５とを備える。目地材１３には、かご室壁３から浮き上がり横方向に突出した掛止支持部１９が高さ方向に亘って形成されている。手摺は、掛止支持部に引っ掛けられて支持されている。【選択図】図３
2012232836.tif 000002
【特許請求の範囲】
【請求項１】
かご室壁と、
前記かご室壁に支持され、かご室内の高さ方向に延びる支持材と、
前記支持材に支持される手摺とを備え、
前記支持材には、前記かご室壁から浮き上がり横方向に突出した掛止支持部が高さ方向に亘って形成されており、
前記手摺は、前記掛止支持部に引っ掛けられて支持されている
エレベータかご手摺装置。
【請求項２】
前記かご室壁は、少なくとも高さ方向に延びる目地部を有しており、
前記支持材は、前記目地部に差し込まれて固定された目地材である
請求項１のエレベータかご手摺装置。
【請求項３】
前記掛止支持部は、基部と、その基部よりも前記かご室壁から離れた位置において該基部よりも左右に広がっている拡幅部とを含み、
前記手摺は、複数の手摺取付腕と、それら手摺取付腕を架橋するように該複数の手摺取付腕に支持された手摺部材とを含み、
前記手摺取付腕のそれぞれは、締結手段を介して結合・分離可能な左右一対の腕プレートを含んでおり、
前記手摺取付腕はそれぞれ、前記腕プレートの一部を前記かご室壁及び前記拡幅部の間に挿入するようにして前記左右一対の腕プレートで前記掛止支持部を挟むことによって前記目地材に支持されている
請求項２のエレベータかご手摺装置。
【請求項４】
前記掛止支持部は、高さ方向に連続して同一の横断面形状を有する
請求項１乃至３の何れか一項のエレベータかご手摺装置。
【発明の詳細な説明】
【技術分野】
【０００１】
本発明は、エレベータかご手摺装置に関するものである。
【背景技術】
【０００２】
エレベータは、上下に延びる昇降路と、その中を移動可能に設けられたかごとを備えている。かごの室内には、乗客が姿勢を安定させるのに役立つ手摺が設けられている場合がある。
【０００３】
かご室内に設けられた手摺の構成として、例えば、特許文献１には、パイプ状の部材からなり、平面視、コ字状に延びる手摺が開示されている。この手摺は、まず工場でかご室壁の一部に裏当板を溶接などで接合しておき、その裏当板のある箇所にボルト通し穴を加工しておく。そして、据付現場において、かご室内へ突出するボルトに対して手摺を取り付け固定していた。
【０００４】
特許文献２には、平板状の部材からなる手摺が開示されている。この手摺は、まず工場でかご室の壁とその裏面の補強とに、通し穴を開け、裏面にナットを溶接しておく。そして、据付現場で縦断面コの字形の手摺取付け腕をかごの内側からボルトで締め込み固定し、さらに、その手摺取付腕に平板状の手摺を取り付けていた。
【０００５】
特許文献３にも、パイプ状の手摺が開示されており、この手摺も、まず工場でかご室壁にボルト通し穴を開け、裏面にネジ穴付の座を溶接などして接合しておき、これに据付現場にてかご室内側から手摺取付腕のフランジを複数のネジで固定し、その手摺取付腕に固定することで設けられていた。
【先行技術文献】
【特許文献】
【０００６】
【特許文献１】実開昭５９−１９５１６８号公報
【特許文献２】実開昭５９−７４９６８号公報
【特許文献３】特開２００８−２８５２５３号公報
【発明の概要】
【発明が解決しようとする課題】
【０００７】
かご室内の既存の手摺は、前述したように工場であらかじめかご室壁に穴あけやネジ座を溶接しておき、据付現地でボルトやナットで固定し取り付けられていた。このため、後から手摺の取付高さを変えようとした場合、ボルト穴の高さを変えなければならないため、簡単にできないといった問題があった。
【０００８】
本発明は、上記に鑑みてなされたものであり、後からでも手摺の高さを簡単に変更することができる、エレベータかご手摺装置を提供することを目的とする。
【課題を解決するための手段】
【０００９】
上述した目的を達成するため、本発明のエレベータかご手摺装置は、かご室壁と、前記かご室壁に支持され、かご室内の高さ方向に延びる支持材と、前記支持材に支持される手摺とを備え、前記支持材には、前記かご室壁から浮き上がり横方向に突出した掛止支持部が高さ方向に亘って形成されており、前記手摺は、前記掛止支持部に引っ掛けられて支持されている。
【発明の効果】
【００１０】
本発明のエレベータかご手摺装置によれば、後からでも手摺の高さを簡単に変更することができる。
【図面の簡単な説明】
【００１１】
【図１】本発明の実施の形態１に関し、かご室内を平面的に示す図である。
【図２】実施の形態１に係るエレベータかご手摺装置の斜視図である。
【図３】図２において、一つの手摺取付腕近傍を拡大して示す図である。
【図４】手摺取付腕近傍を横から示す図である。
【図５】概ねＶ−Ｖ線に沿う断面図である。
【図６】図３に関する分解組立状態を示す図である。
【図７】本発明の実施の形態２に関する図１と同態様の図である。
【図８】実施の形態２に関する図５と同態様の図である。
【発明を実施するための形態】
【００１２】
以下、本発明に係るエレベータかご手摺装置の実施の形態について添付図面に基づいて説明する。なお、図中、同一符号は同一又は対応部分を示すものとする。
【００１３】
実施の形態１．
図１は、本実施の形態１に関し、かご室内を平面的に示す図、図２は、エレベータかご手摺装置の斜視図である。図１，図２に示されるように、エレベータのかご室は、本図示例では、かご室床１と、そのかご室床１の後部及び左右側部の端から立ち上がったかご室壁３と、かご室床１の前部において立ち上がった袖壁５と、図示省略する天井とによって画定されている。かご室壁３は、金属パネルにより構成されている。袖壁５には、周知のように行き先階ボタンやかご位置階の表示部等が配置された操作盤７が設けられている。また、かご室床１とかご室壁３の下部との間には、幅木９が設けられている。
【００１４】
エレベータかご手摺装置１１は、上述したかご室壁３と、支持材としての複数の目地材１３と、手摺１５とを備えている。かご室壁３は、少なくとも高さ方向に延びる目地部１７を有している。目地材１３はそれぞれ、かご室内の高さ方向に延びる棒状の部材である。また、目地材１３はそれぞれ、かご室壁３に支持されており、具体的には、対応する目地部１７に差し込まれて固定されている。
【００１５】
次に、図３〜図６をも参照しながら、目地材及び手摺の詳細について説明する。図３は、図２において、後述する手摺取付腕近傍を拡大して示す図である。図４は、その手摺取付腕近傍を横から示す図である。図５は、概ねＶ−Ｖ線に沿う断面図である。図６は、図３に関する分解組立状態を示す図である。
【００１６】
目地材１３はそれぞれ、その横断面形状がＴ字状の部材であり、その横断面に関して直線状に延びる第１部分１３ａと、同様に直線状に延びており、その第１部分１３ａと直交するように中央部でつながる第２部分１３ｂとを有する。目地材１３は、本実施の形態では、高さ方向に連続して同一の横断面形状を有しており、第１部分１３ａの大部分が対応する目地部１７に差し込まれている。なお、目地材１３は、第１部分１３ａにおいてボルト３ａによって両側のかご室壁３の折り返し部に固定されている。
【００１７】
また、各目地材１３には、かご室壁３から浮き上がり横方向に突出した掛止支持部１９が高さ方向に亘って形成されている。本実施の形態では、掛止支持部１９は、第１部分１３ａのうちかご室壁３よりもかご室内側に露出している部分からなる基部と、第２部分１３ｂからなる拡幅部とを含む。拡幅部は、その基部よりもかご室壁３から離れた位置において基部よりも左右に広がっている。すなわち、掛止支持部１９は、拡幅部においてかご室壁３から浮き上がり横方向に突出している。掛止支持部１９は、高さ方向に連続して同一の横断面形状を有している。
【００１８】
手摺１５は、目地材１３に支持されるものであり、具体的には、掛止支持部１９に引っ掛けられる態様で支持されている。手摺１５は、複数の手摺取付腕２１と、それら手摺取付腕２１を架橋するように複数の手摺取付腕２１に支持された手摺部材２３とを含んでいる。手摺部材２３は、特に限定されるものではないが、一例として中空状のパイプ部材から構成されている。手摺部材２３は、複数のリング部材２５によって、対応する手摺取付腕２１に接続、固定されている。
【００１９】
手摺取付腕２１のそれぞれは、左右一対の腕プレート２７ａ，２７ｂを含んでいる。一例であるが、一対の腕プレート２７ａ，２７ｂは、合わせ面を挟んで相互に鏡像をなすように対称的な形態を具備しており、それぞれ、根元部２９と、腕部３１と、先端部３３とを有している。
【００２０】
左右一対の腕プレート２７ａ，２７ｂは、それらの腕部３１において、１本以上（本図示例では３本）の六角穴付きボルト（締結手段）３５により、分離可能に結合されている。ボルト３５は、一対の腕プレート２７ａ，２７ｂの一方を貫通して他方のねじ穴３７に螺合している。当該一方の外側（合わせ面と反対側）の面には、座グリ穴３９が形成されており、ボルト３５の頭部は、その座グリ穴３９に収められ、さらにその外側からボルト隠しキャップ４１によって覆われている。また、腕部３１は、先端部３３側に接近する部分ほど上方に位置するように斜め上方に延びている。
【００２１】
一対の腕プレート２７ａ，２７ｂのそれぞれの根元部２９には、特に図５，図６によく示されるように、かご室壁３のかご室内側表面と拡幅部である掛止支持部１９の第２部分１３ｂとの間の溝部１３ｃに挿入される挿入部４３が形成されている。すなわち、一対の腕プレート２７ａ，２７ｂは、挿入部４３のそれぞれを外側から溝部１３ｃに挿入するようにして当該一対の腕プレート２７ａ，２７ｂで掛止支持部１９を挟むことで目地材１３に支持されている。このような態様により、手摺取付腕２１（手摺１５）は掛止支持部１９（目地材１３）に引っ掛けられるようにして支持固定されている。なお、それぞれの根元部２９の合わせ面側の表面には、掛止支持部１９の第２部分１３ｂが挿入される溝部４５が形成されており、これら第２部分１３ｂ及び挿入部４３と対応の溝部１３ｃ，４５とがいわゆる「あいじゃくり」の関係をなしている。
【００２２】
また、根元部２９はそれぞれ、かご室壁３に接近するほど横幅が広くなうような傾斜を有し、言うなれば、図５の横断面で諒解されるように、根元部２９を二つ合わせると平面視、略台形になるような形態を有している。これにより、根元部２９におけるかご室壁３への当たり面積が大いに拡張されている。
【００２３】
一対の先端部３３は、「あいじゃくり」形態で根元部２９が掛止支持部１９を左右から挟みこむのと同態様で、リング部材２５を左右から挟みこんで支持している。リング部材２５は、中央に手摺部材２３が挿通される穴を有した短尺の円筒状部材である。先端部３３のそれぞれには、相互に対面するようにあいじゃくり嵌合部４７が形成され、リング部材２５にも、相互に反対方向を指向するような一対のあいじゃくり嵌合部４９が形成されている。そして、リング部材２５の一対のあいじゃくり嵌合部４９に、対応する先端部３３のあいじゃくり嵌合部４７を嵌め合わせるようにして、リング部材２５を左右から一対の根元部２９で挟み込む。このようにして、リング部材２５が手摺取付腕２１に支持される。また、複数のリング部材２５には、手摺部材２３が挿通され、各リング部材２５において押えボルト５１によって手摺部材２３が固定される。手摺部材２３の両端それぞれの開口は、キャップ５３によって覆われる。
【００２４】
ここで、上述した構成に関し、手摺１５を目地材１３に取り付ける手順の一例を示しておく。まず、手摺部材２３に対し、手摺取付腕２１がくるべき位置に対応する付近にリング部材２５を装着し、裏面の押えボルト５１を軽く締めておく。次に、左右一対の腕プレート２７ａ，２７ｂは、根元部２９において目地部１７の掛止支持部１９を挟むようにし、先端部３３において手摺部材２３が挿通されているリング部材２５を挟むようにしておき、ボルト３５を軽く締めておく。手摺取付高さ付近で、上記のように各要素を仮止めし、高さ寸法を確認する。そして、高さ位置が決まれば、ボルト３５を締め込む。続いて、手摺部材２３の左右の位置を決め、リング部材２５の裏の押えボルト５１を締め込み、手摺部材２３を手摺取付腕２１に対して固定する。そして、最後に、ボルト隠しキャップ４１や、手摺部材２３の端部のキャップ５３を被せて、手摺１５の取り付けを完了させる。
【００２５】
以上のように構成された本実施の形態に係るエレベータかご手摺装置によれば、手摺は、かご室内の高さ方向に延びる支持材に引っ掛けられて支持されているので、手摺を一旦取り付けた後にその取付高さを変更する場合にも、その支持材における他の高さ部位に手摺を引っ掛けなおせばよい。したがって、ボルト穴の高さの変更作業等を含む大掛かりな工事が必要なく、後からでも極めて容易に手摺の取付高さを簡単に変更することができる。
【００２６】
また、本実施の形態では、手摺は、締結手段を介して結合・分離可能な左右一対の腕プレートで支持材を挟むようにして取り付けられている。したがって、締結手段を緩めるだけで、支持材に沿って手摺取付腕を上下にスライドできる状態となるので、極めて容易に手摺の取付高さを簡単に変更することができる。また、マンションなどの小型のエレベータにおいては引越しなどで家具を運ぶ際に手摺が邪魔になる場合もあるが、本実施の形態では、締結手段を緩めるだけで、かご室壁に対して手摺をその根元から簡単に除去することができる。勿論、締結手段を緩めるだけでなく、一対の腕プレートを完全に分離させて、手摺を除去したり、新たに異なる取付高さに取り付けなおしたりする仕方も可能である。
【００２７】
また、本実施の形態では、支持材として、かご室壁の目地材を用いるので、目地材を、本来の意匠処理のための手段と、手摺支持のための手段としての両機能で利用することができる。さらに、引越し等またはその他の理由で、ある程度の期間、手摺を取り外した状態でも、残っているのは目地材なので、かご室内の美観を損なうことがない。さらに、支持材はかご室壁の目地部に差し込んで固定されるので、壁への穴あけ加工や裏板補強など大きな工事を必要とすることなく高強度で設けることができる。
【００２８】
さらに、本実施の形態では、一対の腕プレートのそれぞれの根元部は、手摺取付時、二つ合わせると略台形になるような形態を有しているので、手摺部材の長手方向に掛かる偶力に対し、外側部ではふんばりが効き、中心部では目地材に引っ掛かり壁から離れないように対抗することができ、全体として強固に手摺を固定することができる。
【００２９】
さらに、支持材における掛止支持部は、高さ方向に連続して同一の横断面形状を有するので、手摺の高さ位置は、掛止支持部が存在する範囲内ならば無段階に選択することができる。
【００３０】
実施の形態２．
次に、本発明のエレベータかご手摺装置を、最近徐々に増えてきているガラスパネルのかご室壁に適用する場合の実施の形態について説明する。図７及び図８はそれぞれ、本実施の形態２に関する図１及び図５と同態様の図である。本実施の形態２は、以下に説明する部分を除いては、上述した実施の形態１と同様であるものとする。
【００３１】
かご室壁２０３は、ガラスパネル構造であり、ガラス２５５と、金属枠２５７とを含んでいる。金属枠２５７は、ガラス２５５の四方を囲むように設けられている。対面しあう金属枠２５７同士は、かご室壁２０３の内部側（かご室と逆側）において、ボルト２０３ａによって相互に連結されている。ボルト２０３ａは、対面する一対の金属枠２５７を貫通するボルト穴２０３ｂに設けられている。また、一対の金属枠２５７には、ボルト２０３ａにアクセスするための穴が設けられているが、これらの穴は、必要以外のときには、キャップ２０３ｃで覆われている。
【００３２】
かご室壁２０３においては、対面する一対の金属枠２５７の境目に高さ方向に延びる目地部１７を有している。そして、本実施の形態２においても、実施の形態１と同様な目地材１３がそれぞれ、支持部材として、対応する目地部１７に差し込まれて取り付けられている。目地材１３は、かご室壁２０３の内部側（かご室と逆側）において、一対の金属枠２５７に挟まれボルト２０３ａによって固定されている。目地材１３には、上記実施の形態１と同様な手摺取付腕２１による手摺１５が取り付けられる。
【００３３】
このような構成を有する本実施の形態２に係るエレベータかご手摺装置においても、実施の形態１と同じ利点を得ることができる。また、本実施の形態２では、手摺取付腕２１の根元部２９の壁側台形座の幅をかご室内側に露出している金属枠２５７の部分の幅とほぼ一致させることにより、意匠的にシンプルなデザインを得ることもできる。
【００３４】
以上、好ましい実施の形態を参照して本発明の内容を具体的に説明したが、本発明の基本的技術思想及び教示に基づいて、当業者であれば、種々の改変態様を採り得ることは自明である。
【００３５】
例えば、本発明に関する支持材は、かご室内の高さ方向に延びる態様であれば目地材であることには限定されず、よって、目地部に差し込まれて固定されるのではなく、目地部とは異なる部分に何らかの態様でかご室壁に対して固定されていてもよい。その場合でも、手摺を同一対象である支持材に対し異なる高さに支持させることが可能となる。
【００３６】
また、支持部材は、かご室壁から浮き上がり横方向に突出した掛止支持できる部分を備えていればよく、前述の実施の形態のように、横断面Ｔ字状に限定されるものではない。よって、例えば、横断面形状で述べると、Ｌ字状、Ｙ字状でもよい。同趣旨より、支持部材は、横断面形状でみて、直線的な部分の組合せで構成されている断面には限定されず、曲線状に延びる部分または三角形以上の多角形の単体または組合せで構成されている断面をなしていてもよい。
【符号の説明】
【００３７】
３，２０３  かご室壁、１１  エレベータかご手摺装置、１３  目地材、１５  手摺、１７  目地部、１９  掛止支持部、２１  手摺取付腕、２３  手摺部材、２７ａ，２７ｂ  左右一対の腕プレート、３５  ボルト（締結手段）。
【図１】
2012232836.tif 000003
【図２】
2012232836.tif 000004
【図３】
2012232836.tif 000005
【図４】
2012232836.tif 000006
【図５】
2012232836.tif 000007
【図６】
2012232836.tif 000008
【図７】
2012232836.tif 000009
【図８】
2012232836.tif 000010